(57)【特許請求の範囲】
【請求項１】
通帳挿入口を成す上部ガイド板と下部ガイド板のうち、
下部ガイド板は突起を有し、
上部ガイド板は前記突起上方に通帳の挿入方向の手前側から奥側に向かって徐々に下がるように傾斜した傾斜面を有すると共に、この傾斜面から通帳処理装置内に向かって伸びる水平面を有し、
顧客が挿入口からカードを挟んでいない通帳を挿入した場合、前記通帳の挿入方向先端が前記突起により持ち上げられると共に前記上部ガイド板の傾斜面に当たって曲がり、前記傾斜面に沿って装置内部に取り込まれ、
顧客が挿入口からカードを挟んだ通帳を挿入した場合は、前記通帳の挿入方向先端が前記突起により持ち上げられると共に、前記上部ガイド板の傾斜面に当たって曲がった後、前記カードの挿入方向先端が前記通帳のページを介して前記傾斜面に当たって挿入が阻止されることを特徴とする通帳処理装置。
【請求項２】
通帳挿入口を成す上部ガイド板と下部ガイド板のうち、
下部ガイド板は通帳の挿入方向の奥側が低くなるようにした段差を有し、
上部ガイド板は前記段差上方に通帳の挿入方向の手前側から奥側に向かって徐々に下がるように傾斜した傾斜面を有すると共に、この傾斜面から通帳処理装置内に向かって伸びる水平面を有し、
顧客が挿入口からカードを挟んでいない通帳を挿入した場合、前記通帳の挿入方向先端が前記上部ガイド板の傾斜面に当たって曲がり、前記傾斜面に沿って装置内部に取り込まれ、
顧客が挿入口からカードを挟んだ通帳を挿入した場合は、前記通帳の挿入方向先端が前記上部ガイド板の傾斜面に当たって曲がった後、前記カードの挿入方向先端が前記通帳のページを介して前記傾斜面に当たって挿入が阻止されることを特徴とする通帳処理装置。
【請求項３】
請求項１または請求項２において、
挿入された媒体を自動取引装置内に取り込むための搬送ローラを有し、
顧客が挿入口からカードを挟んだ通帳を挿入し、前記カードの挿入方向先端が前記通帳のページを介して前記傾斜面に当たって挿入が阻止された場合は、その通帳の挿入方向先端が前記搬送ローラに達しないようにしたことを特徴とする通帳処理装置。
【発明の詳細な説明】
【０００１】
【発明の属する技術分野】
本発明は、金融機関に設置されている自動取引装置において、媒体を挿入、排出する媒体挿入排出口に関するものである。
【０００２】
【従来の技術】
近年、自動取引装置（以下、ＡＴＭとする。）設置数の増加、利用時間の延長、多様な取引が行えるようになったことにより、ＡＴＭの利用回数および利用機会は増加しつづけている。
このため、顧客へのサービス向上の一環として、ＡＴＭを効率良く稼動させることが要望されている。
【０００３】
こうした動きの中で、ＡＴＭに搭載されている通帳処理装置は、ＡＴＭ内でジャム等のエラーを起こさないようにするために、通帳挿入排出口は開口部を通帳のサイズと同等にし、さらに、通帳挿入時、排出時以外は通帳挿入排出口に設置してあるシャッタを閉めて通帳挿入排出口から通帳以外の異物が挿入されないようにしている。
【０００４】
従来の通帳処理装置の構成について図３、図４を用いて説明する。
図３は自動取引装置の外観を示す斜視図である。
図３において、１はＡＴＭの筐体である。
２は紙幣入出金装置であり、顧客が入金した紙幣を計数、収納したり、顧客に紙幣を払い出す部位である。
【０００５】
３は紙幣投入排出口であり、顧客が紙幣を投入したり、取出したりする部位である。
４は、硬貨入出金装置であり、顧客が入金した硬貨を計数、収納したり、顧客に硬貨を払い出す部位である。
５は硬貨投入排出口であり、顧客が紙幣を投入したり、取出したりする部位である。
【０００６】
６は従来の通帳処理装置であり、通帳の磁気ストライプに記憶されている口座番号等の情報を読み取ったり、取引内容を通帳や帳票等の媒体に印字する機能を有する。
７は通帳投入排出口であり、顧客が通帳を投入したり、取出したりする部位である。
【０００７】
さらに、顧客がカードで取引を行った場合、その取引内容を印字した帳票を排出する。
なお、この通帳投入排出口７は通帳挿入排出口は開口部を通帳のサイズと同等に設計されている。
８はカードリーダ・レシートプリンタであり、磁気カードの磁気ストライプに記憶されている口座番号等の情報を読み取ったり、取引内容をレシートに印字する機能を有する。
【０００８】
９はカード挿入排出口であり、顧客がカードを挿入したり、取出したりする部位である。
１０は操作表示部であり、図示しないタッチセンサをカラーのＣＲＴやＬＣＤによる表示部上に設けたもので、利用者の操作を誘導するイラスト、文字、あるいは文言を表示すると共に、暗証番号、取引金額、口座番号等を入力するためのテンキーおよび取引の承認、確認あるいは取消を行うためのファンクションキーを表示する。
【０００９】
顧客が表示部分を押下すると、図示しないタッチセンサが検知し、後述する主制御部に送信する。
１１は前述した各機構と接続していて装置全体を制御する主制御部である。
図４は、通帳処理装置６の内部構造を示す断面図である。
図において、２１は光学検知機であり、通帳挿入排出口７から挿入された通帳、あるいは通帳挿入排出口７へと排出される通帳を検知する。
【００１０】
２２はシャッタであり、通常時は閉められており、光学検知機２１により通帳が検知されると、シャッタ２２が開けられる。
２３はステッピングモータ、２４ａ、２４ｂは通帳を搬送する一対の搬送ローラであり、この搬送ローラ２４ａ、２４ｂは、ステッピングモータ２３により駆動される。
【００１１】
２５は整位部であり、通帳を所定の位置に整える部位である。
２６はオートターンページ（以下、ＡＴＰとする。）部であり、通帳の頁をめくる機能を有する。
２７はＡＴＰローラであり、ＡＴＰ部２６の上部に設置されており、通帳を搬送する部位である。
【００１２】
２８は磁気ストライプ読取部であり、通帳の磁気ストライプを読み取るものである。
２９はラインファインド部（以下、ＬＦ部とする。）である。
このＬＦ部２９は、挿入された通帳の頁マークや印字済みの行番号等の情報を読み取るもので、この読み取られた情報に基づいて、図示しない制御部により頁めくりが正しく行われたか否かが認識されるものとなっている。
【００１３】
３０は印字部であり、図示しない制御部がＬＦ部２９により読み取られた情報に基づいて印字位置を特定すると、この制御部の指令に従って通帳記帳を行うものである。
３１、３２は未使用の通帳を保持しておく第１通帳収納部、第２通帳収納部、３３、３４は帳票を保持しておく第１帳票収納部、第２帳票収納部、３５はこれらの収納部３１〜３４の下部に設けられているローラであり、このローラ３５は必要に応じて駆動され、収納部３１〜３４から通帳または帳票を繰り出す。
【００１４】
３６は通帳待避部であり、顧客が挿入した通帳に印字できる欄がなくなった場合、その通帳を一時的に待避させておく部位である。
３７は帳票待避部であり、複数の帳票に連続して印字処理を行う場合、すべてのデータを帳票に印字し終わるまでの間、印字した帳票を一時的に収納しておく部位である。
【００１５】
３８は回収部であり、通帳処理装置６が、通帳または帳票を通帳挿入排出口７に搬送した後、顧客が一定時間経過してもそれらを取出さない場合、その通帳または帳票を回収するものである。
３９はゲートであり、通帳待避部３６と回収部３８との上部に設けられており、必要に応じて通帳または帳票の搬送方向を切替える。
【００１６】
４０は電源装置、４１は印字部３０に装着された印字用インクリボンであり、図示しない印字ヘッドはこの印字用インクリボン４１を介して通帳や帳票に記帳を行うものとなっている。
図５は、従来のＡＴＭにおいて使用される媒体の例を示している。
Ｐは通帳であり、取引の内容を記帳して記録しておくものである。
【００１７】
５１は裏表紙に貼付されている口座番号等の情報が記録された磁気ストライプである。
通帳の内側には取引内容を記帳しておくための用紙が綴じられていて、前部頁は定期預金頁５２、中央頁は普通預金頁５３、後部頁は自動積み立て頁５４になっている。
【００１８】
５５は記帳領域であり、取引内容を記帳するための領域であり、５６は実際に取引内容が記帳されている行を示している。
Ｑは現金自動取引装置において、顧客が通帳Ｐ以外の媒体を用いて取引を行った場合に、当該取引についてのみ記録した帳票であり、一般的には通帳を閉じたサイズになっている。
【００１９】
Ｒは証券などの取引において使用される帳票であり、一般的には現金自動取引装置において使用される帳票Ｑよりサイズが大きい。
帳票ＱとＲは、第１、２帳票収納部３３、３４に収納されている。
以上の構成による従来の技術の作用について説明する。
例えば、顧客が通帳記帳を選択し、ＡＴＭの案内に従って通帳Ｐの記帳するページを開いて通帳挿入排出口７に挿入すると、それを光学検知器２１が検知して、図示しない制御部の指令によりシャッタ２２が開けられる。
【００２０】
挿入された通帳は、ステッピングモータ２３により駆動される搬送ローラ２４ａ、２４ｂにより通帳処理装置内に搬送され、磁気ストライプ読取部２８により口座番号等の情報が読み取られる。
この情報がＡＴＭから図示しないセンタに送られ、センタで該当する口座番号の未記帳データが検索され、ＡＴＭに通知される。
【００２１】
その間、通帳は整位部２５により所定の位置に整えられ、ＬＦ部２９により通帳の頁マークや印字済みの行番号等が読み取られる。
そして、印字位置が印字ヘッドの下にくるように通帳Ｐが搬送され、未記帳データが印字部３０に送られて、印字ヘッドにより通帳Ｐに印字処理が行われる。現在開かれているページのすべての行に印字されると、ＡＴＰ部２６に搬送され、頁がめくられると、再度印字部３０に搬送されて記帳が行われる。
【００２２】
顧客が挿入した通帳に記帳できる欄がなくなった場合には、その通帳が通帳待避部３６に搬送、収納され、第１、第２の通帳収納部３１、３２からローラ３５により未使用の通帳が繰り出されて通帳記帳の続きが行われる。
通帳記帳が終了すると、通帳待避部３６に収納されていた通帳が繰り出され、新たに発行された通帳と共に通帳挿入排出口７から排出される。
【００２３】
一方、カード等の通帳以外の媒体により取引が行われる場合には、取引終了後に取引内容を記載した帳票ＱまたはＲが通帳挿入排出口７から排出される。
なお、顧客が通帳挿入排出口７から排出された通帳または帳票を一定時間経過しても取出さない場合、それらの通帳または帳票は回収部３８に回収される。
【００２４】
【発明が解決しようとする課題】
図６は、従来技術の問題を説明するための要部側面図である。
カードＳを挟んだ通帳Ｐの厚さが通帳挿入排出口７の開口部より小さいと、通帳挿入排出口７に挿入することができ、それを光学検知器２１が検知して、図示しない制御部の指令によりシャッタ２２が開けられ、カードＳを挟んだ通帳Ｐはそのまま通帳処理装置内部に取り込まれてしまう。
【００２５】
このように、従来の技術では、カード等の異物が通帳に挟まれている場合には、カードＳを挟んだまま通帳をＡＴＭ内に取り込んでしまい、ジャムを引き起こしたり、印字ヘッドを破損してしまう等の問題があった。
そこで、本発明は、カードＳがＡＴＭ内に取り込まないようにすることを目的とする。
【００２６】
【課題を解決するための手段】
この目的を達成するため、本発明の通帳処理装置は、通帳挿入口を成す上部ガイド板と下部ガイド板のうち、下部ガイド板は突起を有し、上部ガイド板は前記突起上方に通帳の挿入方向の手前側から奥側に向かって徐々に下がるように傾斜した傾斜面を有すると共に、この傾斜面から通帳処理装置内に向かって伸びる水平面を有し、顧客が挿入口からカードを挟んでいない通帳を挿入した場合、前記通帳の挿入方向先端が前記突起により持ち上げられると共に前記上部ガイド板の傾斜面に当たって曲がり、前記傾斜面に沿って装置内部に取り込まれ、顧客が挿入口からカードを挟んだ通帳を挿入した場合は、前記通帳の挿入方向先端が前記突起により持ち上げられると共に、前記上部ガイド板の傾斜面に当たって曲がった後、前記カードの挿入方向先端が前記通帳のページを介して前記傾斜面に当たって挿入が阻止されることを特徴とする。
【００２７】
【発明の実施の形態】
以下に図面を用いて本発明による通帳処理装置の実施の形態について説明する。
図１は第１の実施の形態を示す説明図であり、（ａ）は通帳挿入動作を示す要部側面図であり、（ｂ）は図（ａ）における通帳挿入排出口７の拡大図を、（ｃ）はカードＳを挟んだ通帳Ｐを挿入したときの拡大図である。
【００２８】
まず、第１の実施の形態の構成について以下に説明する。
第１の実施の形態は、図１（ａ）に示すように、上部ガイド板６０と下部ガイド板６１により通帳挿入排出口７が形成されている。
下部ガイド板６１上には、突起６２が設けられており、また、上部ガイド板６０は、突起６２上方に位置する傾斜面６３と、この傾斜面６３から通帳処理装置内部に向かって伸びる水平面６４を有している。
【００２９】
ここで、下部ガイド板６１から上部ガイド板６０の水平面６４までの高さＨ１は、通帳Ｐを搬送できる高さとし、突起６２の最上部６５と上部ガイド板６０の水平面６４の高さＨ２は、カードの厚さと通帳の表紙１枚分の厚さの和の値以下とする。
例えば、Ｈ１は３ｍｍ以上、Ｈ２は０．８ｍｍ以下とする。
【００３０】
さらに、上部ガイド板６０の水平面６４と傾斜面６３の境界部分６６から、突起６２の最上部６５までの距離をＬとすると、Ｌはカードの短手方向の幅より小さいものとする。
他の構成は、従来の構成と同様である。
上述した構成による第１の実施の形態の作用について以下に説明する。
【００３１】
顧客がカードＳを挟んだ通帳Ｐの記帳するページを開いて通帳挿入排出口７に挿入すると、それを光学検知器２１が検知して、図示しない制御部の指令によりシャッタ２２が開けられる。
このとき、顧客が通帳ＰにカードＳが挟まれていることに気づかずに挿入すると、通帳ＰのカードＳを挟んでいない部分は、上部ガイド板６０の傾斜面６３に当たって曲がり、傾斜面６３に沿って通帳処理装置６内部に取り込まれていくが、通帳ＰのうちカードＳを挟んでいる部分は、その厚さがカードの厚さと通帳の表紙１枚分の厚さの和の値以上であるために、図１（ｃ）に示すように上部ガイド板６０の傾斜面６３に当たる。
【００３２】
ここで、カードＳが硬いために上部ガイド板６０の傾斜面６３に当たっても曲がらず、その場所で停止して通帳処理装置６内部への挿入が阻止される。
なお、このとき上部ガイド板６０の水平面６４と傾斜面６３の境界部分６６から、突起６２の最上部６５までの距離Ｌは、カードの短手方向の幅より小さいため、通帳ＰがカードＳを挟んでいれば、必ず上部ガイド板６０の傾斜面６３にカードＳが当たり、挿入が阻止されるので通帳Ｐが装置内に取り込まれることはない。（第２の実施の形態）
まず、第２の実施の形態の構成について以下に説明する。
【００３３】
第１の実施の形態では、通帳挿入排出口７の下部ガイド板６１に突起６２を設けたが、第２の実施の形態では、図２に示すように通帳挿入排出口７の下部ガイド板６１に段差６８を設けている。
図２は第２の実施の形態を示す説明図であり、（ａ）は通帳挿入動作を示す要部側面図、（ｂ）は（ａ）における通帳挿入排出口７の拡大図を示している。
【００３４】
図において、通帳挿入排出口７の下部ガイド板６１に設けられた段差６８の高い位置にある水平面６４と上部ガイド板６０の水平面６４の間の高さＨ３を、カードの厚さと通帳の表紙１枚分の厚さの和の値以下にする。
例えば、Ｈ３は０．８ｍｍ以下とする。
さらに、上部ガイド板６０の水平面６４と傾斜面６３の境界部分６６から、段差６８の高い位置にある水平面と、段差６８の傾斜面の境界部分６９までの距離Ｍは、カードの短手方向の幅より小さくする。
【００３５】
他の構成は、従来の技術と同様である。
上述した構成による第２の実施の形態の作用について以下に説明する。
顧客が通帳Ｐの記帳するページを開いて通帳挿入排出口７に挿入すると、それを光学検知器２１が検知して、図示しない制御部の指令によりシャッタ２２が開けられる。
【００３６】
そして、顧客が通帳ＰにカードＳが挟まれていることに気づかずに挿入すると、通帳ＰのカードＳを挟んでいない部分は、上部ガイド板６０の傾斜面６３に当たって曲がり、傾斜面６３に沿って通帳処理装置６内部に取り込まれていくが、通帳ＰのうちカードＳを挟んでいる部分は、その厚さがカードの厚さと通帳の表紙１枚分の厚さの和の値以上であるために、上部ガイド板６０の傾斜面６３に当たる。
【００３７】
ここで、通帳ＰはカードＳを挟んでいると、カードＳが硬いために上部ガイド板６０の傾斜面６３に当たっても曲がらず、その場所で停止して通帳処理装置６内部への挿入が阻止される。
なお、このとき上部ガイド板６０の水平面６４と傾斜面６３の境界部分６６から、段差６８の高い位置にある水平面と段差６８の傾斜面が交わる部分６９までの距離Ｍは、カードの短手方向の幅より小さいため、通帳ＰがカードＳを挟んでいれば、必ず上部ガイド板６０の傾斜面６３にカードＳが当たり、挿入が阻止されるので、通帳Ｐが通帳処理装置内に取り込まれることはない。
【００３８】
以上、第１、第２の実施の形態において説明したように、通帳挿入排出口７の下部ガイド板６１に突起６２または段差６８を設けることにより、カードＳを挟んでいる通帳Ｐを顧客が挿入した場合、カードＳが上部ガイド板６０の傾斜面６３に当たって通帳Ｐの挿入が阻止されるので、ジャムなどのエラーが生じるのを防ぐことができる。
【００３９】
さらに、第１の実施の形態および第２の実施の形態において、カードＳが上部ガイド板６０の傾斜面６３に当たる部分を６７として、６７から搬送ローラ２４ａ、２４ｂまでの距離をＸとした場合に、この距離Ｘが通帳を閉じたときの幅からカードの幅を引いた値より大きく設定することにより、挿入された通帳Ｐの先端が搬送ローラ２４ａ、２４ｂに達することがないのでカードＳが６７において停止して、顧客はカードＳが挟まれている通帳Ｐを容易に取り出すことができる。
【００４０】
【発明の効果】
以上説明したように、本発明によれば、通帳挿入排出口７の下部ガイド板６１に突起６２または段差６８を設けることにより、カードＳを挟んでいる通帳Ｐを顧客が挿入した場合、カードＳが上部ガイド板６０の傾斜面６３に当たって通帳Ｐの挿入が阻止されるので、ジャムなどのエラーが生じるのを防ぐことができる。
【００４１】
さらに、カードＳの先端が上部ガイド板６０の傾斜面６３に当たる位置と、通帳挿入排出口７に設けられた搬送ローラ２４ａ、２４ｂとの距離を、通帳Ｐを閉じたときの頁幅からカードＳの幅を引いた値より大きく設定することにより、顧客はカードＳが挟まれている通帳Ｐを容易に取り出すことができる。
【図面の簡単な説明】
【図１】第１の実施の形態を示す説明図
【図２】第２の実施の形態を示す説明図
【図３】自動取引装置の外観を示す斜視図
【図４】通帳処理装置の内部構造を示す断面図
【図５】従来の自動取引装置において使用される媒体の例
【図６】従来技術の問題を説明するための要部側面図
【符号の説明】
１  筐体
２  紙幣入出金装置
３  紙幣投入排出口
４  硬貨入出金装置
５  硬貨投入排出口
６  従来の通帳投入排出装置
７  通帳投入排出口
９  カード挿入排出口
１０  顧客操作部
１１  主制御部
２１  光学検知機
２２  シャッタ
２４ａ  搬送ローラ
２４ｂ  搬送ローラ
２５  整位部
２６  オーとターンページ部
２８  磁気ストライプ読取部
２９  ラインファンド部
３０  印字部
６０  上部ガイド板
６１  下部ガイド板
６２  突起
６３  上部ガイド板の傾斜面
６４  上部ガイド板の水平面
６５  最上部
６６  境界部分
６８  段差
【図１】
0004348866.tif 000002
【図２】
0004348866.tif 000003
【図３】
0004348866.tif 000004
【図４】
0004348866.tif 000005
【図５】
0004348866.tif 000006
【図６】
0004348866.tif 000007